(57)【要約】【課題】小絞り回折によるＭＴＦの劣化を防止し、絞りの制御性を向上させ、小スペース化を図ることが可能となる光量調整装置、該光量調整装置を有する光学装置および撮影装置を提供する。【解決手段】開口を形成する複数枚の絞り羽根と、該絞り羽根を相対的に移動させる絞り羽根駆動手段と、該絞り羽根と別動するＮＤフィルターと、該ＮＤフィルターを該開口に移動させるＮＤフィルター駆動手段と、を有する光量調整装置において、該絞り羽根駆動手段と該ＮＤフィルター駆動手段とを駆動させるための共通のアクチェーターを備え、該アクチェーターは始めにＮＤフィルター駆動手段のみを作動させ、該ＮＤフィルターによって該開口が覆われた段階で、該絞り羽根駆動手段を該開口が開放状態から閉鎖状態となるように作動させるように構成する。【選択図】            図２
2005215290.tif 000002
【特許請求の範囲】
【請求項１】
開口を形成する複数枚の絞り羽根と、該絞り羽根の相対的な移動によって前記開口の大きさを変化させ光量を調整するために該絞り羽根を相対的に移動させる絞り羽根駆動手段と、
前記絞り羽根と別動するＮＤフィルターと、該ＮＤフィルターを前記開口に移動させるＮＤフィルター駆動手段と、を有する光量調整装置において、
前記絞り羽根駆動手段と前記ＮＤフィルター駆動手段とを駆動させるための共通のアクチェーターを備え、該アクチェーターは始めにＮＤフィルター駆動手段のみを作動させ、前記ＮＤフィルターによって前記開口が覆われた段階で、前記絞り羽根駆動手段を前記開口が開放状態から閉鎖状態となるように作動させる構成を有することを特徴とする光量調整装置。
【請求項２】
前記ＮＤフィルター駆動手段は、前記アクチェーターと直結して設けられ、前記ＮＤフィルターの片当て部に対して当接するようにした片当て構造を有する一方、前記絞り羽根駆動手段は回動自在に構成されて前記絞り羽根駆動手段と同軸に配置され、前記ＮＤフィルターに対して相対的に所定の方向にバネにより付勢されていることを特徴とする請求項１に記載の光量調整装置。
【請求項３】
前記ＮＤフィルター駆動手段は、前記片当て構造によって前記ＮＤフィルターが前記開口を覆った段階における該ＮＤフィルターの運動規制後も運動の継続が可能に構成され、該運動の継続により前記絞り羽根駆動手段と連動して前記絞り羽根を相対的に移動させることを特徴とする請求項２に記載の光量調整装置。
【請求項４】
前記ＮＤフィルターは、単濃度あるいは２種類以上の濃度を有するＮＤフィルターであることを特徴とする請求項１〜３のいずれか１項に記載の光量調整装置。
【請求項５】
請求項１〜４のいずれか１項に記載の光量調整装置を有する光学系を備えたことを特徴とする光学装置。
【請求項６】
請求項１〜４のいずれか１項に記載の光量調整装置を有する撮影光学系を備えたことを特徴とする撮影装置。
【発明の詳細な説明】
【技術分野】
【０００１】
本発明は、ビデオカメラやデジタルスチルカメラ等の撮影装置に好適な光量調整装置、該光量調整装置を有する光学装置（レンズ鏡筒）および撮影装置に関するものである。
【背景技術】
【０００２】
従来のビデオカメラ等に搭載され光量調整装置として用いられる絞り装置として、光軸直行方向に相対移動する２枚の絞り羽根を有し、該絞り羽根を１個の回動式アクチェーターにてシーソー式駆動レバーを介し駆動し、アクチェーターローターの外周面の磁極変化をホール素子によって検出することにより回転位置や回転量（回転角）を制御するものが知られている。
【０００３】
このような絞り装置として、例えば特許文献１には、絞り羽根の一枚にＮＤフィルターが貼り付けられ、被写体が明るいときに、開口径が小さくなりすぎると、回折による画質の劣化と焦点深度の増大によるゴミの移りこみが問題となるため、上記絞り羽根に貼り付けられたＮＤフィルターが絞り羽根の開口径形成用切欠き内に突出するようにして、極端な小絞りになるのを防ぐようにしたものが提案されている。
【０００４】
また、特許文献２のように、上述した絞り装置を用い、絞り羽根と別動するＮＤフィルターを設け、該シーソー式駆動レバーの絞り及びＮＤフィルターの取付け位置を該シーソー式駆動レバーの径方向に変化させることで、該絞り羽根とＮＤフィルターの移動速度を変化させるものが提案されている。
【特許文献１】特開平０４−３４５１４９号公報
【特許文献２】特開平０８−１７９３９７号公報
【発明の開示】
【発明が解決しようとする課題】
【０００５】
しかしながら、上記特許文献１の従来例の２枚羽根を互いに逆方向に直進させるようにした、いわゆるギロチンタイプにおいて、該絞り羽根にＮＤフィルターを貼り付けた構成の絞りを採用しただけでは、絞り羽根が小絞りに到達する中間の過程でＮＤフィルターが絞り開口の全面にかかりきらない素通し部分があたかも小絞りのような効果を出してしまい、画質が劣化するという問題がある。
また、絞り開放径よりＮＤフィルター及び絞り羽根が同時に動き始めるため、絞り開放径近傍のＦナンバーにおいて、駆動アクチェーターローターの回転角（ホール素子の出力変化）に対する光量変化が著しく、光量調整の制御が困難になってしまう。
【０００６】
一方、絞り羽根とＮＤフィルターの駆動アクチェーターをそれぞれ搭載させ、独立駆動を可能にし、光量を制限することにより著しい開口径近傍の光量変化を防いでいる装置もあるが、ＮＤフィルター専用アクチェーターが増える分、大型化・コストアップの問題が発生する。
また、特許文献２で開示されている絞り羽根及びＮＤフィルターの移動速度を変化させるようにした従来例のものにおいても、絞り羽根とＮＤフィルターが光学開放径近傍より同時に動き出すため、著しい光量変化の抑制にはそれ程効果を期待することはできない。
【０００７】
そこで、本発明は、上記課題を解決し、小絞り回折によるＭＴＦの劣化を防止し、絞りの制御性を向上させ、小スペース化を図ることが可能となる光量調整装置、該光量調整装置を有する光学装置（レンズ鏡筒）および撮影装置を提供することを目的としている。
【課題を解決するための手段】
【０００８】
本発明は、以下のように構成した光量調整装置、該光量調整装置を有する光学装置（レンズ鏡筒）および撮影装置を提供するものである。
すなわち、本発明の光量調整装置は、開口を形成する複数枚の絞り羽根と、該絞り羽根の相対的な移動によって前記開口の大きさを変化させ光量を調整するために該絞り羽根を相対的に移動させる絞り羽根駆動手段と、前記絞り羽根と別動するＮＤフィルターと、該ＮＤフィルターを前記開口に移動させるＮＤフィルター駆動手段と、を有する光量調整装置において、
前記絞り羽根駆動手段と前記ＮＤフィルター駆動手段とを駆動させるための共通のアクチェーターを備え、該アクチェーターは始めにＮＤフィルター駆動手段のみを作動させ、前記ＮＤフィルターによって前記開口が覆われた段階で、前記絞り羽根駆動手段を前記開口が開放状態から閉鎖状態となるように作動させる構成を有することを特徴としている。これにより、ＮＤフィルターの光学クローズ後、絞りが作動を開始するため、小絞り回折によるＭＴＦの劣化を改善することが可能となる上、ＮＤフィルターが光学クローズ状態から絞り羽根が作動し始めるため、絞り及びＮＤフィルターが絞り開放径より同時に作動する事は無く、アクチェーターローターの回転角（ホール素子変化）に対する光量変化を抑えることができる。
また、本発明の光量調整装置は、前記ＮＤフィルター駆動手段が、前記アクチェーターと直結して設けられ、前記ＮＤフィルターの片当て部に対して当接するようにした片当て構造を有する一方、前記絞り羽根駆動手段は回動自在に構成されて前記絞り羽根駆動手段と同軸に配置され、前記ＮＤフィルターに対して相対的に所定の方向にバネにより付勢されていることを特徴としている。これにより、ＮＤフィルターを絞り羽根に貼り付けたタイプの絞りと比較し、絞り開放径近傍の光量変化を抑えることが可能となり、絞り制御性を向上させつつ、小絞り回折によるＭＴＦの劣化を改善することが可能となる上、ＮＤフィルターを別アクチェーターで駆動する必要が無く、小スペース化を図ることができる。
また、本発明の光量調整装置の前記ＮＤフィルター駆動手段は、前記片当て構造によって前記ＮＤフィルターが前記開口を覆った段階における該ＮＤフィルターの運動規制後も運動の継続が可能に構成され、該運動の継続により前記絞り羽根駆動手段と連動して前記絞り羽根を相対的に移動させることを特徴としている。これにより、アクチェーターの発生力を直接伝達されるＮＤフィルター駆動手段に従属させて絞り羽根駆動手段を共通のアクチェーターで駆動することができ、絞りユニットの小スペース化を図ることが可能となる。
また、本発明の光量調整装置は、前記ＮＤフィルターが、単濃度あるいは２種類以上の濃度を有するＮＤフィルターであることを特徴としている。
また、本発明の光学装置は、上記したいずれかに記載の光量調整装置を有する光学系を備えたことを特徴としている。
また、本発明の撮影装置は、上記したいずれかに記載の光量調整装置を有する撮影光学系を備えたことを特徴としている。
【発明の効果】
【０００９】
本発明によれば、小絞り回折によるＭＴＦの劣化を防止し、絞りの制御性を向上させ、小スペース化を図ることが可能となる光量調整装置、該光量調整装置を有する光学装置（レンズ鏡筒）および撮影装置を実現することができる。
【発明を実施するための最良の形態】
【００１０】
本発明を実施するための最良の形態を、以下の実施例により説明する。
【実施例】
【００１１】
以下に、本発明の光量調整装置をレンズ鏡筒に適用した実施例について、図面を用いて説明する。
図１は、本発明の光量調整装置を適用した絞り装置を備えている実施例における凸凹凸凸の４群構成の変倍光学系を有するレンズ鏡筒の構成例を示す断面図。
ここで、Ｌ１は第１レンズ群、Ｌ２は光軸方向に移動することにより変倍動作を行なう第２レンズ群、Ｌ３は光軸と垂直な平面で移動し、手ブレ補正動作を行なう第３レンズ群、Ｌ４は光軸方向に移動することにより合焦動作を行なう第４レンズ群である。
また、図２〜図４は、図１において第２レンズ群Ｌ２と第３レンズ群Ｌ３との間で、シフトユニット３にビス締め固定されている本実施例の絞り装置９の構成を示す図であり、図２は絞り装置９の分解斜視図、図３は絞り装置９の正面図、図４は絞りをオープンからクローズする際の絞り羽根及びＮＤフィルターの動きを連続的に示した図である。
【００１２】
ここで、レンズ鏡筒の具体的構成は後に説明するとして、まず、本実施例の絞り装置９について説明する。
図２、図３において、９５，９６は絞り羽根、９７はＮＤフィルターであり、本実施例の絞り装置９は、入射した光量を変化させるため、２枚の絞り羽根９５，９６を光軸周りに移動させて開口径を変化させるいわゆるギロチン絞りとして構成されている。
９１は回動式電磁アクチェーター（モーター）、９４はＮＤ駆動レバーであり、ＮＤフィルター９７は回動式電磁アクチェーター（モーター）９１、ＮＤ駆動レバー９４を介して駆動される。
【００１３】
９４ａはＮＤ駆動レバー９４に設けられた突起部、９７ｂはＮＤフィルター９７に形成されたＮＤフィルター片当て部であり、この突起部９４ａはＮＤフィルター片当て部９７ｂと片当て状態で接合して、ＮＤ駆動レバー９４の駆動力をＮＤフィルター９７に伝達するように構成されている。なお、絞り地板９２の突起部９２ａはＮＤフィルター回転中心穴９７ａと嵌合する。これにより、ＮＤフィルターはＮＤフィルター回転中心穴９７ａを中心に回転往復運動をすることができる。
ここで、上記ＮＤフィルター９７は単濃度であるが小絞り回折を防ぐために、２種類以上の濃度を有したＮＤフィルターでも良い。また、その２種類以上の濃度の中に、透過率１００％である透明部が存在していてもよい。
９３はシーソー式絞り駆動レバーであり、絞り羽根９５，９６は、シーソー式絞り駆動レバー９３を介して駆動される。該絞り駆動レバー９３は該ＮＤ駆動レバー９４と同軸に配置され回動自在に作動するようになっている。絞り駆動レバー９３の突起部９３ａは絞り羽根９５の長孔部９５ａと嵌合し、駆動レバー９３の突起部９３ｂは絞り羽根９６の長孔部９６ａと嵌合する。なお、９２は絞り装置の地板（すなわちケーシング）であるが、該絞り地板の蓋部材９９の突起部（不図示）２箇所は２枚の絞り羽根それぞれの長孔部９５ｂ、９６ｂと嵌合することによって、絞り羽根９５、９６は、該蓋部材９９の突起部に案内され、絞り駆動レバー９３の回転に伴い、鉛直方向に往復運動する。
【００１４】
また、９８はメカバネであり、このメカバネ９８により上記絞り駆動レバー９３とＮＤフィルター９７はお互いに閉じる方向に常に付勢されており、ＮＤフィルター９７はクローズ方向に、絞り駆動レバー９３はＮＤ駆動レバーと閉じ合う方向に常に上記メカバネ９８により付勢されている。
アクチェーター９１としては、円柱形に構成された永久磁石製のローター（もしくは円柱形に構成された金属体の外周面に着磁されたローター）を有する電磁駆動アクチェーターを使用する。該アクチェーターは該ローター外周面の磁極の移動変化をホール素子によって検出することにより回転位置や回転量（回転角）を制御される。なお、上記電磁駆動アクチェーターに代えて、ステッピングモーターを使用しても良い。その際は、初期位置を決定する機構が設けられていれば、ステップ数によって絞りの開口形状が決定されるため、上記ホール素子は必要ない。
【００１５】
ここで、アクチェーター９１を回転させると、図４のように絞りオープンからクローズまで９（ａ）〜９（ｃ）の順に開閉動作を行なう。
この動作において、９（ａ）〜９（ｂ）まではＮＤフィルター９７のみが動作を行なう。すなわち、上記絞り駆動レバー９３は地板９２に設けられているメカストッパー（不図示）により回転運動を規制されている。これに対して、ＮＤフィルター９７は上記メカバネ９８によりクローズ方向に常に付勢されているため、ＮＤ駆動レバー９４の突起部９４ａに対し、ＮＤフィルター片当て部９７ｂに常に片当て状態となって接合し、ＮＤ駆動レバー９４の駆動力がＮＤフィルター９７に伝達されることにより、ＮＤフィルター９７のみが動作を行なう。
【００１６】
次に、９（ｂ）〜９（ｃ）までは絞り羽根のみが動作を行なう。すなわち、上記ＮＤフィルター９７が地板９２に設けられたＮＤフィルターストッパー（不図示）に当たることにより、ＮＤフィルター９７の回転運動が規制される。この時、ＮＤフィルター９７とＮＤ駆動レバー９４は片当て構造となっているため、ＮＤフィルター９７が回転運動規制後も、ＮＤ駆動レバー９４は回転運動を行なうことが可能であり、ここで、ＮＤフィルター９７が光学クローズすると同時に、絞り駆動レバー９３とＮＤ駆動レバー９４がメカ連動を始めるように構成されている。これにより、ＮＤ駆動レバー９４が絞り駆動レバー９３の回転運動と連動し、絞り羽根９５，９６が直進運動を開始する。
【００１７】
上記動作シーケンスにより、ＮＤフィルターが単独動作を行ない、ＮＤフィルター光学クローズ後、絞り羽根が作動を開始するため、ＮＤフィルター９７によって絞り開口部が完全に覆われない、いわゆる「ＮＤ半掛り」の状態は光学オープン時のみとなり、それ以外はＮＤフィルター９７が絞り開口部を完全に覆っている。これは、図５の分解斜視図に示した従来例の絞り装置において、図６に示す絞り羽根にＮＤフィルターを貼り付けた構造をもつ絞り装置の駆動シーケンスにおける（ａ）〜（ｆ）に示される駆動状態が「ＮＤ半掛り」にあるのに対して、本実施例においては、小絞り付近での「ＮＤ半掛り」を無くすことができる。つまり本実施例においては、このような駆動機構をとることによって１つのアクチェーターで絞り羽根とＮＤフィルターを駆動させ、且つ、小絞り回折によるＭＴＦの劣化を抑えることが可能となる。
また、本実施例においては、光学オープン位置からの絞り羽根とＮＤフィルターの同時駆動を回避することが可能となり、光学オープン近傍の光量変化に対するホール素子出力の変化を抑えることができるため、絞り制御を容易にすることが可能となる。つまり、図５に示される従来例の絞り羽根にＮＤフィルターを貼り付けた構造を持つ絞り装置に対して、本実施例においては絞り制御を容易にすることができる。
また、本実施例では、絞り羽根９５・９６とＮＤフィルター９７を１個のアクチェーター９１により駆動させることができ、且つ絞り駆動レバー９３とＮＤ駆動レバー９４が同軸配置されているため、ＮＤフィルターを単独で駆動させるためのモーターが必要がない上、ＮＤ駆動レバーを配置するための余分なスペースを廃止することができ、コンパクト化を図ることができる。
【００１８】
本実施例の上記絞り装置は、具体的には図１に示したレンズ鏡筒の絞り装置９として構成することができる。以下に、このレンズ鏡筒の具体的構成について説明する。図１において、１は第１レンズ群Ｌ１を保持する前玉鏡筒ユニット、２は第２レンズ群Ｌ２を保持する移動枠、３は第３レンズ群Ｌ３を光軸と垂直な平面内で移動可能とするシフトユニット、４は第４レンズ群Ｌ４を保持する移動枠、５はＣＣＤ等の撮像素子を取付ける後部鏡筒である。ここで、前玉鏡筒ユニット１と後部鏡筒５により２本のガイドバーが位置決め固定されている。また、シフトユニット３と後部鏡筒５により上記ガイドバーとは別のガイドバーが位置決め固定されている。
移動枠２は、上記前玉鏡筒ユニット１と後部鏡筒５によって位置決め固定されている２本のガイドバーにより光軸方向に移動可能に支持されている。また、移動枠４は上記２本のガイドバーの一つと上記シフトユニット３と後部鏡筒５によって位置決め固定されているガイドバーにより光軸方向に移動可能に支持されている。シフトユニット３は前玉鏡筒ユニット１に位置決めの上、後部鏡筒５と前玉鏡筒ユニット１に挟み込まれている。
【００１９】
ここで、９は光学系を入射した光量を変化させる絞り装置であり、２枚の絞り羽根を光軸周りに移動させて開口径を変化させるいわゆるギロチン絞りとして構成されており、第２レンズ群Ｌ２と第３レンズ群Ｌ３との間で、ビスによりシフトユニット３にビス締め固定されている。
後部鏡筒５は前玉鏡筒ユニット１に位置決めされ、同時に、前述のようにシフトユニット３に挟み込んだ上でビス３本により後方より共締め固定されている。
１０は第４レンズ群Ｌ４を光軸方向に移動させて合焦動作を行なわせるための駆動手段であるところのリードスクリューであり、前後に軸受け形状を持ち、後部に多極に着磁されたローターマグネット１０ａが固定されている。
【００２０】
１１はローターマグネット１０ａを回転させるためのステッピングモーターステ−ターユニットであり、リードスクリュー１０はシフトユニット３とステッピングモーターステ−ターユニット１１に設けられた軸受け部で支持される。リードスクリュー１０は移動枠４に取付けられたラック４ａと噛み合っており、ローターマグネット１０ａの回転により第４レンズ群Ｌ４を移動せしめる。また、ねじりコイルバネ４ｂで移動枠４、ガイドバー、ラック４ａ、リードスクリュー１０のそれぞれのガタを片寄せしている。
【００２１】
１２は第２レンズ群Ｌ２を光軸方向に移動させて変倍動作を行なわせるための駆動手段であるところのリードスクリューであり、前後に軸受け形状を持ち、後部に多極に着磁されたローターマグネット１２ａが固定されている。
１３はローターマグネット１２ａを回転させるためのステッピングモーターステ−ターユニットであり、リードスクリュー１２はシフトユニット３とステッピングモーターステ−ターユニット１３に設けられた軸受け部で支持される。リードスクリュー１２は移動枠２に取付けられたラック２ａと噛み合っており、ローターマグネット１２ａの回転により第２レンズ群Ｌ２を移動せしめる。また、ねじりコイルバネ２ｂで移動枠２、ガイドバー、ラック２ａ、リードスクリュー１２のそれぞれのガタを片寄せしている。ステッピングモーターステ−ターユニット１１及び１３は後部鏡筒５に、それぞれ２本のビスで固定されている。
【００２２】
１４はフォトインタラプタであり、移動枠４に形成された遮光部の光軸方への移動による遮光、透光の切り替わりを電気的に検出し第４レンズ群Ｌ４の基準位置を検出するためのフォーカスリセットスイッチであり、基板を介してビス１本で後部鏡筒５に固定されている。
１５はフォトインタラプタであり、移動枠２に形成された遮光部の光軸方向への移動による遮光、透光の切り替わりを電気的に検出し第２レンズ群Ｌ２の基準位置を検出するためのズームリセットスイッチであり、基板を介してビス１本で前玉鏡筒ユニット１に固定されている。
【００２３】
ここで、シフトユニット３の構成の一例について詳細説明する。第３レンズ群Ｌ３を光軸と垂直な平面内で移動可能とするシフトユニット３の構成を説明する。第３レンズ群Ｌ３はＰＩＴＣＨ方向（カメラの縦方向の角度変化）の像ブレを補正するための縦方向と、ＹＡＷ方向（カメラの横方向の角度変化）の像ブレを補正するための横方向変化へ、縦方向及び横方向それぞれに専用の駆動手段及び位置検出手段によりそれぞれ独立に駆動制御され、光軸周りの任意の位置へ位置決めされる。
縦方向及び横方向の駆動手段及び位置検出手段は９０度の角度を成して同一の構成なので、縦方向（図２の断面図に表現されている）のみを説明する。
３ｂはシフトユニットの固定部分のベースとなる、レンズ鏡筒と一体化される固定部材であるところのシフトベース、３ｄは付勢手段であるところの圧縮コイルバネであり、近傍に配置される後述する検出用及び駆動用磁石に吸引されないようにその材質は、例えばリン青銅線は好適である。
３ａはシフトするレンズ群である第３レンズ群Ｌ３を保持する可動部材であるところのシフト鏡筒、シフト鏡筒３ａには、圧縮コイルバネ３ｄの前側の端が第３レンズ群Ｌ３の光軸と略同軸に嵌合し、コイルの一端がシフト鏡筒３ａに設けられた不図示のＶ字溝部にはまり込んで位置決め固定されている。
【００２４】
３ｌはシフトベース３ｂ及びシフト鏡筒３ａに挟持されたボールであり、図中には１つしか表示されていないが、光軸方向に垂直な平面内に３つ配置されている。近傍に配置される後述する駆動用磁石に吸引されないようにその材質は、例えばＳＵＳ３０４（オーステナイト系のステンレス鋼）は好適である。ボール３ｌが当接している面は、シフトベース側と３箇所、シフト鏡筒側と３箇所であり、それぞれの３箇所の当接面は、光学系の光軸に対して垂直な面であり３つのボールの呼び径が同じ場合は３箇所の面の光軸方向の位置の相互差を小さく抑えることにより、シフトレンズ群Ｌ３を光軸に対して直角を保ったままで、保持及び移動案内が可能となる。３ｃは後側の固定部材であるセンサベースであり、２本の位置決めピンで位置を決め、ビス３本でシフトベース３ｂに結合される。圧縮コイルバネ３ｄの後側の端はセンサベース３ｃにレンズ鏡筒の光軸に略同軸に嵌合している。圧縮コイルバネ３ｄはシフト鏡筒３ａセンサベース３ｃの間で圧縮されて、シフト鏡筒３ａをボール３ｌを含めた３つのボール挟持してシフトベース３ｂに付勢する。
【００２５】
また、３つのボールとそれぞれの当接面間にボール３ｌを含めた３つのボールがシフトベース３ｂとシフト鏡筒３ａにより挟持されていない状態でもボールが当接面から容易に脱落しない程度の粘度を有する潤滑材を塗布することで、圧縮コイルバネ３ｄの付勢力を上回る慣性力がシフト鏡筒３ａに働いて、ボールが非挟持状態になっても、ボールの位置が容易にずれるのを防止できる。
【００２６】
次に、シフト鏡筒３ａの駆動手段について説明する。
３ｊは光軸に対して放射方向に２極に着磁された駆動用磁石、３ｋは駆動用磁石３ｊの光軸方向前側の磁束を閉じるためのヨーク、３ｉはシフト鏡筒３ａに接着により固定されたコイル、３ｈは駆動用磁石３ｊの光軸方向後側の磁束を閉じるためのヨークであり、駆動用磁石３ｊとはコイル３ｉが移動する空間を形成するようにシフトベース３ｂに対して磁石の磁力により固定され磁気回路を構成している。コイルに電流を流すと、駆動用磁石３ｊの２極着磁の着磁境界に対して略直角方向に、磁石とコイルに発生する磁力線相互の反発によるローレンツ力が発生し、シフト鏡筒３ａを移動させる。いわゆるムービングコイル型の駆動手段となっている。上記構成が縦及び横方向に配置してあるので、可動部材を略直交する２つの方向に駆動することが出来る。この時、前述のようにシフト鏡筒３ａは、圧縮コイルバネ３ｄによってシフトベース３ｂに対して３つのボールを挟持しながら付勢されているため、シフト鏡筒３ａが駆動されるときに負荷となる摩擦力はボールの転がり摩擦のみとなる。その摩擦力は極めて小さいため、シフト駆動部３ａを微小に駆動制御することが出来る。
【００２７】
次に、シフト鏡筒３ａの位置検出手段について説明する。
３ｆは光軸に対して放射方向に２極に着磁された検出用磁石、３ｇは検出用磁石３ｆの光軸方向前側の磁束を閉じるためのヨークであり、両者はシフト鏡筒３ａに固定されている。３ｅは磁束密度を電気信号に変換するホール素子であり、センサベース３ｃに位置決め固定されている。以上の構成により位置検出手段を成している。シフト鏡筒３ａが縦もしくは横方向に駆動されたとき、ホール素子３ｅによって検出される磁束密度が変化し、この磁束密度変化を適当な信号処理によりホール素子から電気信号として検出することにより第３レンズ群Ｌ３の位置を検出することが可能となる。
【００２８】
以上、本発明の光量調整装置を適用した絞り装置をレンズ鏡筒に用いた構成例について説明したが、本発明はこれに限定されず、このような絞り装置による撮影光学系を撮影装置等に適用しても、上記実施例の場合と同様に小絞り時のＭＴＦ劣化を防止し、あるいは絞りの制御等を容易に行うことができ、小スペース化を図ることが可能となる。
【図面の簡単な説明】
【００２９】
【図１】本発明の光量調整装置を適用した絞り装置を備えている実施例におけるレンズ鏡筒の構成例を示す断面図。
【図２】本発明の実施例における絞り装置の分解斜視図。
【図３】本発明の実施例における絞り装置の正面図。
【図４】本発明の実施例における絞りをオープンからクローズする際の絞り羽根及びＮＤフィルターの動きを連続的に示した図。
【図５】従来例における絞り装置の分解斜視図。
【図６】従来例の絞り装置における絞りをオープンからクローズする際の絞り羽根及びＮＤフィルターの動きを連続的に示した図。
【符号の説明】
【００３０】
１：前玉鏡筒ユニット
２：移動枠
３：シフトユニット
４：移動枠
５：後部鏡筒
９：絞り装置
Ｌ１：第１レンズ群
Ｌ２：第２レンズ群
Ｌ３：第３レンズ群
Ｌ４：第４レンズ群
９１：アクチェーター  
９２ａ：地板の突起部
９３：絞り駆動レバー
９４：ＮＤ駆動レバー
９４ａ：ＮＤ駆動レバーの突起部
９５、９６：絞り羽根
９７：ＮＤフィルター
９７ａ：ＮＤフィルター回転中心穴
９７ｂ：ＮＤフィルター片当て部
９８：メカバネ
【図１】
2005215290.tif 000003
【図２】
2005215290.tif 000004
【図３】
2005215290.tif 000005
【図４】
2005215290.tif 000006
【図５】
2005215290.tif 000007
【図６】
2005215290.tif 000008